(57)【要約】【課題】寝た状態で、その毛髪を自動的に乾燥させる、毛髪乾燥時間を短縮する、車輪を具備し移動できる、毛髪を全体的に乾燥させる、温風、冷風を使って髪の毛を乾燥させる、あるいは理容師、美容師の、手や腕などを使う労力を大幅に軽減できる、時間にゆとりをもつことができる構造と機能を具備したスタンドタイプの移動式ヘアードライヤーを提供することを目的とするものである。【解決手段】本体と移動用の車輪とを主な構成として、スタンドタイプのヘアードライヤーにして広範囲での使用が可能となるようにするものであって、労力を大幅に軽減させるために、毛髪を寝た状態で本体に挿入して使用する形をとり、冷風装置からでる冷風と、温風装置からでる温風とを混合させながら全体的に乾燥するヘアードライヤーを提供する。本体と人体首部の接点部分に凹溝設けて、その部分にネープカバーを具備している。【選択図】　　　　図１
2004113267.tif 000002
【特許請求の範囲】
【請求項１】
寝た状態で毛髪を乾燥するスタンドタイプのヘアードライヤーであって、温風部と、冷風部と、操作部と、外箱と、移動用の車輪とを主な構成とするヘアードライヤー。
【請求項２】
温風部が水滴浸入防止傘と、水滴落下防止皿とを有することを特徴とする請求項１記載のヘアードライヤー。
【請求項３】
冷風部の冷風吹出上部に取り付けられた送風拡散方向弁が、４５〜９０度にスウィングすることを特徴とする請求項１または請求項２に記載のヘアードライヤー。
【請求項４】
外箱が外枠と、内壁と、頭髪部挿入口部と、吸気口部とを主な構成とする請求項１から請求項３のいずれかに記載のヘアードライヤー。
【請求項５】
温風部および／または冷風部の吸気口部分に、それぞれ異物の混入を防ぐ異物混入防止フィルタを具備したことを特徴とする請求項１から請求項４のいずれかに記載のヘアードライヤー。
【請求項６】
外箱に凹溝設けて、その部分にネープカバーを具備し本体と人体の接点部分である首部分の負担を和らげることを特徴とする請求項１から請求項５のいずれかに記載のヘアードライヤー。
【請求項７】
首の角度に応じてネープカバーの角度を任意に調整できることを特徴とする請求項１から請求項６のいずれかに記載のヘアードライヤー。
【請求項８】
操作盤の各スイッチで、毛髪のコンディションに合わせたプログラム操作ができることを特徴とする請求項１から請求項７のいずれかに記載のヘアードライヤー。
【発明の詳細な説明】
【０００１】
【発明が属する技術分野】
本発明は、スタンドタイプの移動式ヘアードライヤーに関するものである。
【０００２】
【従来の技術】
従来のヘアードライヤーは、理容師や美容師が手と腕を使って、立った状態、座った状態での使用となり労力を要していた。また、壁面、床面に取り付けたり、置いたりするタイプで、取り付ける際に、多少なりともしっかり固定しなければならないので、壁面に穴をあけ傷をつけていた。
【０００３】
特開平１０−０８５０３０号（以下、先行技術１という）に、「電源ヘアードライヤーを置いた状態での使用、或いは手に持っての使用を空気流入台により円滑に行うことを可能とし、さらに設置面積が小さく整理して置くことができる電源ヘアードライヤーを提供する。」の記載がある。
【０００４】
特開２００１−０７８８２５号（以下、先行技術２という）に、「電熱ヒーター及び送風ファンからなるヘアードライヤーに於いてヘアードライヤーの送風出口にジャバラ状の送風ダクトを取着け、ヘアードライヤー本体をスタンド形式にして置き台に置いたり、壁面または天井面に取着けて使用することができるようにする。」の記載がある。
【０００５】
【発明が解決しようとする課題】
しかしながら、先行技術１には、ヘアードライヤーを置いた状態での使用、或いは手に持っての使用となり労力を必要とする問題点があり、手に持っての使用は労力を軽減することに限界がある。
【０００６】
先行技術２には、スタンド形式にしたり、置き台に置いたり、壁面または天井面に取着けて使用するので設置面に傷がついたりするという問題点とがある。手と腕を使い、部分的に乾かしていくので時間がかかるという問題点とがあり、手に持っての使用は労力を軽減するということに関しても限界がある。
【０００７】
本発明は、理容や美容のモデルさんやお客さんが寝た状態で、その毛髪を自動的に乾燥させる、毛髪乾燥時間を短縮する、車輪を具備し移動できる、毛髪を全体的に乾燥させる、温風、冷風を使って髪の毛を乾燥させる、あるいは理容師や美容師の、手や腕などを使う労力を大幅に軽減できる、時間にゆとりをもつことができる構造と機能を具備したスタンドタイプの移動式ヘアードライヤーを提供することを目的とするものである。
【０００８】
【課題を解決するための手段】
本発明は、本体と移動用の車輪とを主な構成として、スタンドタイプのヘアードライヤーにして広範囲での使用が可能となるようにするものであって、労力を大幅に軽減させるために、毛髪を寝た状態で本体に挿入して使用する形をとり、冷風装置からでる冷風と、温風装置からでる温風とを混合させながら全体的に乾燥するヘアードライヤーを提供することにより上記課題を解決したものである。ここで、本発明の本体は、温風部と、冷風部と、操作部と、外箱とを主な構成とするものである。
【０００９】
本発明にいうネープカバーとは、人体首部と機具の境目の部分に置く枕であって、人体首部を保護または押圧感を軽減させるものをいう。
本発明にいうプログラム操作とは、毛髪のコンディションにあわせて温風装置、冷風装置をコンピュータプログラム操作することであって、たとえば、お客の髪質、髪型などをデータベースとしていろいろなパターンを決めたプログラムをいう。
【００１０】
本発明のヘアードライヤーは、寝た状態で毛髪を乾燥するスタンドタイプのヘアードライヤーであって、温風部と、冷風部と、操作部と、外箱と、移動用の車輪とを主な構成とする。本発明のヘアードライヤーは、温風部が水滴浸入防止傘と、水滴落下防止皿とを有する。本発明のヘアードライヤーは、冷風部の冷風吹出上部に取り付けられた送風拡散方向弁が、４５〜９０度にスウィングする。
【００１１】
本発明のヘアードライヤーは、外箱が外枠と、内壁と、頭髪部挿入口部と、吸気口部とを主な構成とする。本発明のヘアードライヤーは、温風部および／または冷風部の吸気口部分に、それぞれ異物の混入を防ぐ異物混入防止フィルタを具備している。本発明のヘアードライヤーは、本体と人体首部の接点部分に凹溝設けて、その部分にネープカバーを具備している。
【００１２】
本発明のヘアードライヤーは、ネープカバーの部位が首の角度に応じて任意に角度調整できる。本発明のヘアードライヤーは、冷風装置を本体中心にむけて複数個設けている。本発明のヘアードライヤーは、大容量の温風装置を本体下部に具備している。
【００１３】
【発明の実施の形態】
以下、本発明を添付図面に示す実施形態に基づいて説明する。本実施形態におけるヘアードライヤー本体１を図１に示す。温風部１００と、冷風部２００と、操作部３００と、外箱７と、移動用の車輪１１とを主な構成とするスタンドタイプのヘアードライヤーである。
【００１４】
温風部１００を、水滴浸入防止傘１００―１と、水滴落下防止皿１００−２と、保護網１００−３と、電熱ヒーター１００−４と、温風ファン１００−５と、温風用電動モーター１００−６と、拡散口１００−７と、温風装置外箱１００−８と、温風装置吸気口１００−９とから構成する。
【００１５】
毛髪の先端から落ちて来るであろうと考えられる水滴を弾くことを目的として水滴浸入防止傘１００―１を具備している。水滴浸入防止傘１００―１で弾かれた水滴を受け止めることを目的として水滴落下防止皿１００−２を具備している。異物の混入と温風装置内の機能を保護および／または正常に働かせることを目的として保護網１００−３を具備している。
【００１６】
発生した風を温風に変えることを目的として電熱ヒーター１００−４を具備している。風を発生させることを目的として温風ファン１００−５を具備している。温風ファン１００−５を回転させる主動となることを目的として温風用電動モーター１００−６を具備している。発生した温風を本体内に拡散させることを目的として拡散口１００−７を具備している。温風装置を包む役割および／または外部からの衝撃で、温風装置が壊れないようにすることを目的として温風装置外箱１００−８を具備している。温風装置内に風を取り込ませる吸気口として温風装置吸気口１００−９を具備している。
【００１７】
温風用電動モーター１００−６を稼動させることにより、温風ファン１００−５を回転させ、温風用吸気口１５から空気を吸い込むことにより温風装置内に空気を取り入れ、電熱ヒーター１００−４を通過させることにより温風を発生させる。発生した温風を水滴落下防止皿１００−２に具備してある拡散口１００−７を通過させて、頭部挿入空間９に、温風が吹出されるように形成している。
【００１８】
温風装置に対して、毛髪の先端から落ちて来るであろうと考えられる水滴が、温風用電動モーター１００−６内へ浸入しないように、水滴浸入防止傘１００−１と、水滴落下防止皿１００−２を設けて、落ちてきた水滴を、温風吹出口の拡散口１００−７上部に取り付けてある水滴浸入防止傘１００−１で弾き、弾かれた水滴を更に、水滴落下防止皿１００−２で受け止めるように形成している。受け止めた水滴は、器具自体が温風により温められ、その状態で蒸発するように形成してある。水滴浸入防止傘１００−１と、水滴落下防止皿１００−２を取り外しができるようにしており、常に清潔感を維持できるように形成してある。これらの防止物の取り付けは、本機能を正常に働かせるために好ましい。
【００１９】
冷風部２００を、冷風ファン２００−１と、送風拡散方向弁２００−２と、複数個の送風口２００−３と、冷風用電動モーター２００−４と、冷風装置外箱２００−５と、冷風装置吸気口２００−６とから構成する。風を発生させることを目的として冷風ファン２００−１を具備している。冷風を拡散させることを目的として送風拡散方向弁２００−２を具備している。発生した冷風を本体内におくりだす送風口２００−３として送風口２００−３を具備している。冷風ファン２００−１を回転させる主動となることを目的として冷風用電動モーター２００−４を具備している。
【００２０】
冷風装置を包む役割および／または外部からの衝撃で、冷風装置が壊れないようにすることを目的として冷風装置外箱２００−５を具備している。冷風装置内に風を取り込ませる吸気口として冷風装置吸気口２００−６を具備している。
【００２１】
冷風用電動モーター２００−４を稼動させることにより、冷風ファン２００−１を回転させ、冷風用吸気口１６から空気を吸い込むことにより冷風装置内に取り入れ、空気が冷風装置内を通過することにより冷風を発生させる。発生した冷風を、冷風吹出部に取り付けられた複数個の送風口２００−３を通過させることにより、頭部挿入空間９に吹出されるように形成している。
【００２２】
冷風が複数個の送風口２００−３を通過する際、４５〜９０度の角度で送風拡散方向弁２００−２がスウィングするように具備している。そのため冷風は、頭部挿入空間９に４５〜９０度の角度で吹出されるように形成している。その必要性としては、頭部挿入空間９に挿入された毛髪に対して、風が４５〜９０度の角度で作用することが「毛髪を乾かす」ということに対して、効果が最も良いとされる角度であるからである。
【００２３】
上記記載の温風装置と冷風装置を、温風装置１〜４機、冷風装置３〜８機具備している。これら２つの装置で、毛髪を乾燥させる。温風装置は短時間で毛髪を乾かすことができ、また、温風は温度調節ができるように形成しているので、毛髪のコンディションに応じて温度を調節できる。冷風装置は、毛髪に対して「乾かしすぎる」ということがないように水分量１０〜２０％（毛髪にとって最適な水分量）、好ましくは水分量１２〜１４％を保持できるように調節できるものである。温風、冷風とを混合させながら乾かしていくので、毛髪への負担を最小限に抑えることができる。
【００２４】
操作部３００を、操作盤３００−１と、タイマー調節器３００−２と、温度調節器３００−３と、温風強スイッチ３００−４と、温風中スイッチ３００−５と、温風弱スイッチ３００−６と、冷風強スイッチ３００−７と、冷風中スイッチ３００−８と、冷風弱スイッチ３００−９と、電源スイッチ３００−１０とから構成する。
【００２５】
図１に操作盤３００−１と、タイマー調節器３００−２と、温度調節器３００−３とを記載している。温風装置と冷風装置の数によって操作盤のスイッチの数を決めることになる。ここで、図２により操作部３００について、温風装置を１機と冷風装置を４機とからなる場合を説明する。操作盤３００−１に、２つの調節器と、７つの各スイッチを納めている。
【００２６】
時間を調節することを目的としてタイマー調節器３００−２を具備している。温度を調節することを目的として温度調節器３００−３を具備している。温風量を強く出すことを目的として温風強スイッチ３００−４を具備している。温風量を強と弱の間ぐらいで出すことを目的として温風中スイッチ３００−５を具備している。温風量を弱く出すことを目的として温風弱スイッチ３００−６を具備している。冷風量を強く出すことを目的として冷風強スイッチ３００−７を具備している。冷風量を強と弱の間ぐらいで出すことを目的として冷風中スイッチ３００−８を具備している。冷風量を弱く出すことを目的として冷風弱スイッチ３００−９を具備している。
【００２７】
電源のオン、オフを切り替えることを目的として電源スイッチ３００−１０を具備している。タイマー調節器３００−２に、温風強スイッチ３００−４と、温風中スイッチ３００−５と、温風弱スイッチ３００−６と、冷風強スイッチ３００−７と、冷風中スイッチ３００−８と、冷風弱スイッチ３００−９と、温風装置と、冷風装置と連動させて、タイマー時間が「０分」に来れば自動的「切」になるように形成している。タイマーは０〜３０分の間で区切られている。
【００２８】
温度を調節するための温度調節器３００−３と、電熱ヒーター１００−４とを連動させ２０〜１８０度の間で調整ができ、毛髪のコンディションに合わせて温度調節ができるように形成している。温風用の各スイッチを、温風装置と、冷風装置と連動させ、温風用の各スイッチを使用する際に、温風装置と、冷風装置ともに稼動できるように形成している。冷風用の各スイッチを、冷風装置のみの接続とすることもできる。温風用と、冷風用の各スイッチは、温風装置と、冷風装置とも連動してお客に合わせたプログラムにより操作することも含まれる。
【００２９】
図１に示している外箱７を、外枠８と、内壁１０と、頭髪部挿入口部４００と、吸気口部５００とを主な構成とする。本発明ヘアードライヤー本体１の外枠８で、本体内部の設置物や、具備してある装置を外部衝撃から守るように形成している。
【００３０】
移動用の車輪を、本発明ヘアードライヤー本体１の、外箱７の底部に本体の総重量のことを考えしっかりと支えられる車輪１１を複数個設けている。そうすることにより移動させることができ、使用範囲が限定されるのではなく、広範囲での使用が可能となるように形成している。
【００３１】
その他、挿入口フタ３と、挿入口フタ摘５と、頭部挿入空間９と、ネープカバー１３と、ストッパー付回転ボルト１４と、温風用吸気口１５と、冷風用吸気口１６と、温風用異物混入防止フィルタ１７と、冷風用異物混入防止フィルタ１８とを設置している。挿入口フタ３を、異物の混入を防ぐことを目的として具備しており、挿入口フタ摘５は、挿入口フタ３を円滑に動かすことを目的として具備している。
【００３２】
頭髪部を挿入し毛髪を乾かすための空間として頭部挿入空間９を具備している。曲線を描くように形成してあり、その必要性としては、寝た状態で頭髪部を挿入して乾かしていくので、首の付け根部分に風がしっかり当るようにするためである。
【００３３】
ヘアードライヤー本体１に凹溝を設けて、その凹溝部分にネープカバー１３を具備している。頭髪部を挿入した際に、ネープカバー１３で首への負担を和らげることを目的として具備している。ネープカバー１３内部には、ストッパー付回転ボルト１４を設け、寝た状態の首の角度に応じて、ネープカバー１３の角度を自由自在に調整することができるように形成している。
【００３４】
温風と冷風を発生させる空気を吸い込むための吸気口として、温風用吸気口１５と、冷風用吸気口１６を具備している。温風と冷風を発生させる空気を吸い込む際に、異物の混入をさせないことを目的として、温風用異物混入防止フィルタ１７と、冷風用異物混入防止フィルタ１８を具備している。ヘアードライヤー本体１に凹溝を設けている。凹溝の部分にはネープカバー１３を具備し、ネープカバー１３を、首の部分が深く入り込むぐらいのサイズにして首への負担を最小限に抑えられるように考慮してある。
【００３５】
本発明ヘアードライヤー本体１を裏面から見た裏面図を図３に示す。本発明ヘアードライヤー本体１を使用する際は、本体に設置している頭部挿入口の部分に、頭髪部を寝た状態（仰向け）で挿入する。頭髪部を挿入する際は、頭部挿入口にある挿入口フタ３の挿入口フタ摘５をつかんで、挿入口フタ３を開けて頭髪部を挿入するように形成している。
【００３６】
本発明ヘアードライヤー本体１をａ‐ａ’の位置から見た上断面図を図４に示す。図４に関しては、本発明ヘアードライヤー本体１の外箱７と、頭部挿入口に具備してある挿入口フタ３と、挿入口フタ摘５と、ネープカバー１３と、操作盤３００−１に設置している２つの調節器と、７つの各スイッチを本発明ヘアードライヤー本体１の、ａ−ａ’の位置の上から見た上断面図である。操作部３００の部分が正面側で、挿入口フタ３と、挿入口フタ摘５と、ネープカバー１３が記載している部分が裏面側である。
【００３７】
本発明ヘアードライヤー本体１を、ｂ‐ｂ’の位置から見た時の上断面図を図５に示す。本発明ヘアードライヤー本体１と、外箱７と、本発明ヘアードライヤー本体１内の頭部挿入空間９と、冷風用吸気口１６と、冷風用異物混入防止フィルタ１８と、温風部１００と、冷風部２００とを記載している。
【００３８】
冷風用電動モーター２００−４を稼動させることにより、冷風ファン２００−１を回転させ、冷風用吸気口１６から空気を吸い込むことにより冷風装置内に取り入れ、空気が冷風装置内を通過することにより冷風を発生させる。冷風が複数個の送風口２００−３を通過する際、４５〜９０度の角度で送風拡散方向弁２００−２がスウィングするように具備している。そのため冷風は、頭部挿入空間９に４５〜９０度の角度で吹出されるように形成している。その必要性としては、頭部挿入空間９に挿入された毛髪に対して、風が４５〜９０度の角度で作用することが「毛髪を乾かす」ということに対して、効果が最も良いとされる角度であるからである。
【００３９】
冷風装置の４機を、中心に向かって冷風を吹出す構造に形成している。この部分の必要性としては、冷風装置の４機から中心に向かって冷風が吹出されるので、毛髪に対して無駄なく作用を与えるためである。冷風装置内に、空気を吸い込む際に起こりうる問題の１つとして異物混入があると考えられる。異物混入を防ぐための冷風用異物混入防止フィルタ１８を具備している。本機能の電動モーター及び各装置を正常に稼動させるために必要な設置となる。水滴落下防止皿１００−２に、複数個の拡散口１００−７と、その上部に同じ数の水滴浸入防止傘１００−１とを具備している。複数個の拡散口１００−７を設けたのは頭部挿入空間９の中に対して、全体に風が行き渡るようにするためである。
【００４０】
本発明ヘアードライヤー本体１をｃ‐ｃ’の位置から見た時の上断面図を図６に示す。本発明ヘアードライヤー本体１と、外箱７と、空気を吸い込むための冷風用吸気口１６と、空気を吸い込む際、異物の混入を防ぐために用いられた冷風用異物混入防止フィルタ１８と、温風部１００とを記載している。温風装置外箱１００−８内の電熱ヒーター１００−４と、温風ファン１００−５と、温風用電動モーター１００−６内に「異物が入らないようにする」という目的と、器具自体を「異物から保護する」ということを目的として保護網１００−３を具備している。本機能の電動モーター及び各装置を正常に稼動させるためには、これらの防止物の取り付けが必要な設置となる。
【００４１】
本発明ヘアードライヤー本体１を真下から見た時の底面図を図７に示す。本発明ヘアードライヤー本体１の外箱７の底部に本体の総重量のことを考えしっかりと支えられる車輪１１を複数個設けている。そうすることにより移動させることができ、使用範囲が限定されるのではなく、広範囲での使用が可能となるように形成している。
【００４２】
本発明ヘアードライヤー本体１底下部に、温風用吸気口１５と、冷風用吸気口１６の２つの吸気口を具備している。２つの吸気口は、空気を吸い込むために必要となり、冷風用と温風用の２つの吸気口を設けて、冷風装置、温風装置、２つの装置がそれぞれ円滑に稼動するために設けている。これら２つの吸気口には、異物混入を防ぐための温風用異物混入防止フィルタ１７と、冷風用異物混入防止フィルタ１８をそれぞれ具備している。
【００４３】
温風用異物混入防止フィルタ１７と、冷風用異物混入防止フィルタ１８を取り外しができるように形成している。冷風用吸気口１６と、温風用吸気口１５の設置場所が床面に近いので、床面に落ちている埃、もしくは毛髪などを吸い込みやすい。よって、これら２つの温風用異物混入防止フィルタ１７と、冷風用異物混入防止フィルタ１８の設置は、本機能の電動モーター及び各装置を正常に稼動させるためには必要な設置となる。また、取り外しができるようになっているので、常に付着した不純物を取り除けるようになっている。そうすることで清潔感も維持できるように形成している。
【００４４】
本発明ヘアードライヤー本体１内部に設置している温風装置の拡大図を図８、図９に示す。図８は温風装置の側面図で、図９は温風装置の斜視図である。図１でも説明したように、毛髪の先端から落ちてくるであろうと考えられる水滴が、温風装置内へ浸入しないように、水滴浸入防止傘１００−１と、水滴落下防止皿１００−２を設けている。温風用電動モーター１００−６を稼動させることにより、温風ファン１００−５を回転させ、温風用吸気口１５から空気を吸い込むことにより温風装置内に空気を取り入れ、電熱ヒーター１００−４を通過させることにより温風が発生するように形成してある。
【００４５】
水滴落下防止皿１００−２と、保護網１００−３を取り外しができるように形成している。取り外す際には図８に示してあるように、保護網１００−３と電熱ヒーター１００−４との接点部ａａ（図８）が外れるように形成している。常に付着した不純物を取り除くことができるようになっていて、清潔感も維持できるように形成している。清潔感を保つ上でも取り外しができることが好ましい。
【００４６】
冷風装置の拡大図を図１０、図１１に示す。冷風装置の４機は全て同じ構造となっている。図１０は冷風装置の側面図で、図１１は冷風装置の正面図である。冷風装置から吹出される風は、図１０に示しているように、送風口上部に設置された送風拡散方向弁２００−２が、４５〜９０度の角度でスウィングするようになっているので、床面に対して４５〜９０度の角度で風が吹出されるように形成している。その必要性としては、上記でも述べたように、頭部挿入空間９に挿入された毛髪に対して風が、４５〜９０度の角度で作用することが「毛髪を乾かす」ということに対して、効果が最も良いとされる角度であるからである。
【００４７】
冷風用電動モーター２００−４を稼動させることにより、冷風ファン２００−１を回転させ、冷風用吸気口１６から空気を吸い込むことにより冷風装置内に取り入れ、空気が冷風装置内を通過することにより冷風を発生させる。発生した冷風は図１１にも示してあるように、冷風吹出部に取り付けられた複数個の送風口２００−３を通過することで、頭部挿入空間９に吹出されるように形成してある。
【００４８】
本発明ヘアードライヤー本体１の温風装置と、冷風装置から吹出される温風、冷風の風流を図１２に示す。温風装置から吹出される風は、下から上に吹出してくるが、冷風装置から吹出された冷風は、４５〜９０度の角度で吹出してくので、頭部挿入空間９の下部（図１２Ａ）位で、冷風も上の方に押し上げられ、頭部挿入空間９上部の方向へ流れていくという構造になっている。この風流の中に毛髪を挿入して乾かしていくのだが、温風装置から吹出される垂直の風と、冷風装置から吹出される４５〜９０度の冷風とが作用することによって、２０分程度（長い毛髪３０〜４５ｃｍ位）かかっていた従来の技術よりも、１０分前後は時間短縮ができ、労力的部分も大幅に軽減することができ、また、時間的な部分の有効性も得られるようになった。
【００４９】
温風装置から吹出される温風が、短時間で毛髪を乾かすことができ、冷風装置から吹出される冷風は、毛髪に対して「乾かしすぎる」ということがないように、水分量１０〜２０％（毛髪にとって最適な水分量）、好ましくは水分量１２〜１４％を保持することができるように形成している。また、温風と、冷風が混合した風は毛髪への負担を最小限に抑えることができるように形成している。
【００５０】
本発明ヘアードライヤー本体１を使用した際の使用例を示した図を図１３に示す。頭髪部を挿入する時は、頭部挿入空間９挿入口にある、挿入口フタ３の挿入口フタ摘５をつかんで、挿入口フタ３を開けてイス等に座って仰向けになる状態で頭髪部を挿入する。
毛髪の長さをとくに規定するものではないが、通常の人で最長６０ｃｍとしている。
【００５１】
毛髪の長さ３５〜４５ｃｍをヘアードライヤー本体１で乾燥させてみた。洗髪後、タオルドライして頭髪部をヘアードライヤー本体１に仰向けで挿入させ、毛髪のコンディションに応じて風量と、温度の調節と、タイマーの調節をした。風量は温風強と、冷風強で、温度の調節は８０度、タイマー調節は１０分で使用した。
ヘアードライヤー本体１を、風量は温風強と、冷風強で、温度の調節は８０度、タイマー調節は１０分で使用して１０分程度内で乾燥することができた。その後毛髪の状態を、水分検査器を使って調べたところ水分量１０〜２０％（毛髪にとって最適な水分量）内の１３％程度で乾燥することができた。
【００５２】
温風装置から吹出される下からの温風と、冷風装置から中心に向かって吹出される４５〜９０度の冷風とが混合する部分に着目してその乾燥状態をみたが、毛髪が、からみあったり、また送風拡散方向弁２００−２が４５〜９０度に作動する際に、それにひっかかったりということはなかった。温風装置から吹出される下からの温風が、毛髪に対して垂直にあたるため、頭部挿入空間９の中に毛髪をひろげ、毛髪１本１本に効果を与えることができた。
【００５３】
冷風装置を中心に向かって具備しているので、頭部挿入空間９の中に挿入された毛髪に対して無駄なく作用を与えることができた。
【００５４】
ヘアードライヤー本体１を使用後、水滴浸入防止傘１００―１と水滴落下防止皿１００−２を取り外し、毛髪の先端から落ちてきた水滴が蒸発した部分を、清潔感を保てるように洗浄した。
ヘアードライヤー本体１を使用して、毛髪の先端から落ちて来るであろうと考えられる水滴が実際おちてきて、水滴浸入防止傘１００―１で水滴を弾き水滴落下防止皿１００−２で受け止めるということができ、温風装置内への水滴侵入を防ぐことができた。そして水滴落下防止皿１００−２が温風により温められ水滴落下防止皿１００−２で受け止めた水滴は蒸発した。
【００５５】
ヘアードライヤー本体１を使用した人物の身長が１６０〜１６５ｃｍ位で人体首部とヘアードライヤー本体１の境目にあるネープカバー１３の角度を人物に問いかけながらストッパー付回転ボルト１４を調節した。首への負担は軽減され円滑に作業をすすめることができた。
【００５６】
温風装置と、冷風装置の各吸気口部分に具備してある温風用異物混入防止フィルタ１７と、冷風用異物混入防止フィルタ１８を使用後取り外してみると、１回の使用で埃、もしくは毛髪が付着していることを確認できた。その後、清潔感を保てるように洗浄した。
ヘアードライヤー本体１を使用する際、移動用の車輪１１を具備しているので広範囲で使用ができた。
【００５７】
【実施例】
〔実施例１〕
本発明ヘアードライヤーは、寝た状態で毛髪を乾燥するスタンドタイプのヘアードライヤーであって、温風部と、冷風部と、操作部と、外箱と、移動用の車輪とを主な構成として毛髪を乾燥することができた。
【００５８】
〔実施例２〕
実施例１と同様にして、温風部が水滴浸入防止傘と、水滴落下防止皿とを有することによって、毛髪の先端から落ちて来るであろうと考えられる水滴が実際おちてきても、水滴浸入防止傘１００―１で水滴を弾き水滴落下防止皿１００−２で受け止めるということができ、温風装置内への水滴侵入を防ぐことができた。そして水滴落下防止皿１００−２が温風により温められ、水滴落下防止皿１００−２で受け止めた水滴を蒸発することができた。
【００５９】
〔実施例３〕
実施例１と２と同様にして、冷風部の冷風吹出上部に取り付けられた送風拡散方向弁が４５〜９０度にスウィングすることによって毛髪に対して、「乾かしすぎる」ということがなく、水分量１０〜２０％（毛髪にとって最適な水分量）、好ましくは水分量１２〜１４％を保持できるように乾燥することができた。
【００６０】
〔実施例４〕
実施例１から３と同様にして、外箱が外枠で、内壁と、頭髪部挿入口部と、吸気口部とを主な構成として毛髪を乾燥することができた。
【００６１】
〔実施例５〕
実施例１から４と同様にして、温風部１００および／または冷風部２００の各吸気口部分に具備してある温風用異物混入防止フィルタ１７と、冷風用異物混入防止フィルタ１８を使用後取り外してみると、１回の使用で埃、もしくは毛髪が付着していることを確認できた。その後、清潔感を保てるように洗浄した。
【００６２】
〔実施例６〕
実施例１から５と同様にして、ヘアードライヤー本体１を使用した人物の身長が１６０〜１６５ｃｍ位で人体首部とヘアードライヤー本体１の境目にあるネープカバー１３の角度を人物に問いかけながらストッパー付回転ボルト１４を調節した。首への負担は軽減され円滑に作業をすすめることができた。
【００６３】
〔実施例７〕
実施例１から６と同様にして、操作盤の各スイッチを毛髪のコンディションに合わせてプログラム操作し、洗髪後の女性の毛髪６０ｃｍ位を乾燥した。完全に乾かすのに１５分程度で乾かすことができた。
【００６４】
〔実施例８〕
実施例１から７と同様にして、洗髪後の女性の毛髪４５ｃｍ位を乾燥した。完全に乾かすのに１０分程度で乾かすことができた。
【００６５】
〔実施例９〕
実施例１から８と同様にして、洗髪後の女性の毛髪３０ｃｍ位を乾燥した。完全に乾かすのに７分程度で乾かすことができた。
【００６６】
〔実施例１０〕
実施例１から９と同様にして、毛髪の長さ４５〜６０ｃｍをヘアードライヤー本体１で乾燥させてみた。洗髪後、タオルドライして頭髪部をヘアードライヤー本体１に仰向けで挿入させ、毛髪のコンディションに応じて風量と、温度の調節と、タイマーの調節をした。風量は温風強と、冷風強で、温度の調節は８０度、タイマー調節は１５分程度で使用した。完全に乾かすのに１５分内で乾かすことができた。
【００６７】
〔実施例１１〕
実施例１から１０と同様にして、毛髪の長さ３５〜４５ｃｍをヘアードライヤー本体１で乾燥させてみた。洗髪後、タオルドライして頭髪部をヘアードライヤー本体１に仰向けで挿入させ、毛髪のコンディションに応じて風量と、温度の調節と、タイマーの調節をした。風量は温風強と、冷風強で、温度の調節は８０度、タイマー調節は１０分で使用した。完全に乾かすのに１０分内で乾かすことができた。
【００６８】
〔実施例１２〕
実施例１から１１と同様にして、毛髪の長さ２５〜３５ｃｍをヘアードライヤー本体１で乾燥させてみた。洗髪後、タオルドライして頭髪部をヘアードライヤー本体１に仰向けで挿入させ、毛髪のコンディションに応じて風量と、温度の調節と、タイマーの調節をした。風量は温風強と、冷風強で、温度の調節は８０度、タイマー調節は７分で使用した。完全に乾かすのに７分内で乾かすことができた。
【００６９】
〔実施例１３〕
実施例１から１２と同様にして、温風装置から吹出される下からの温風と、冷風装置から中心に向かって吹出される４５〜９０度の冷風とが混合する部分に着目してその乾燥状態をみたが、毛髪が、からみあったり、また送風拡散方向弁２００−２が４５〜９０度に作動する際に、それにひっかかったりということはなかった。温風装置から吹出される下からの温風が、毛髪に対して垂直にあたるため、頭部挿入空間９の中に毛髪をひろげ、毛髪１本１本に効果を与えることができた。
【００７０】
〔実施例１４〕
実施例１から１３と同様にして、冷風装置は中心に向かって具備しているので、頭部挿入空間９の中に挿入された毛髪に対して無駄なく作用を与えることができた。
【００７１】
〔実施例１５〕
実施例１から１４と同様にして、ヘアードライヤー本体１を使用後、水滴浸入防止傘１００―１と水滴落下防止皿１００−２を取り外し、毛髪の先端から落ちてきた水滴が蒸発した部分を、清潔感を保てるように洗浄した。
【００７２】
〔実施例１６〕
実施例１から１５と同様にして、ヘアードライヤー本体１を使用した人物の身長が１６０〜１６５ｃｍ位で人体首部とヘアードライヤー本体１の境目にあるネープカバー１３の角度を人物に問いかけながらストッパー付回転ボルト１４を調節した。首への負担は軽減され円滑に作業をすすめることができた。
【００７３】
〔実施例１７〕
実施例１から１６と同様にして、ヘアードライヤー本体１を使用する際、移動用の車輪１１を具備しているので広範囲で使用ができた。
【００７４】
〔実施例１８〕
その後、実施例１から１２までで乾燥させた毛髪の状態を、水分検査器を使って調べたところ水分量１０〜２０％（毛髪にとって最適な水分量）内の１０〜１５％内で乾燥することができた。
【００７５】
〔比較例１〕
ヘアードライヤーを手に持っての使用或いは、ドライヤーをスタンドタイプにして手、腕を使っての使用となりまた、部分的に乾燥させていくので労力的に時間を要し、労力を軽減させることにも限界があった。
【００７６】
〔比較例２〕
寝ながら毛髪を乾燥させていくということが、できないことではないが、自動的に全体を乾燥させることはできなかった。
【００７７】
〔比較例３〕
ヘアードライヤーを複数個使用しないと、温風と冷風を同時に稼動させ毛髪を乾燥することができなかった。
【００７８】
〔比較例４〕
ヘアードライヤーを複数個使用し、毛髪６０ｃｍ位の長さを乾燥させてみたが、１５分以内で乾燥させることはできなかった。
【００７９】
〔比較例５〕
ヘアードライヤーを複数個使用し、毛髪４５ｃｍ位の長さを乾燥させてみたが、１０分以内で乾燥させることはできなかった。
【００８０】
〔比較例６〕
ヘアードライヤーを複数個使用し、毛髪３０ｃｍ位の長さを乾燥させてみたが、７分以内で乾燥させることはできなかった。
【００８１】
【発明の効果】
本体の中に寝た状態で頭髪部を挿入して乾かす構造となっているので、寝ている状態というのことに対して開放感があり、尚且つ精神的にもゆとりが持てるし心的にも癒される。
また、従来のヘアードライヤーでは全体的に毛髪を乾かす際に、手、腕などを使う労力をかなり必要としていたが、本発明により、労力を、大幅に軽減することが可能となり「疲労感を感じる」と、いうことを少なくすることができる。
【００８２】
毛髪を部分的に乾燥させていくのではなく、全体的に乾燥させていくので時間を短縮することができる。
車輪を具備することで移動できるので、使用範囲が特定されることがなく広い範囲で使用ができる。また、収納する際に関しても特定の場所を決めたり、変更したりと広い
範囲で納めることもできる。
【００８３】
温風、冷風を使って髪の毛を乾燥させるので、髪の毛に極端な負担を掛けない。また、温風、冷風を同時に使用できるので「乾かし過ぎる」という点を解消できる。
一人１０分短縮できたとするならば、１０人で１００分の時間を別で使うことができる。
本発明は最低でも一人あたり８〜１０分は短縮できるので時間にゆとりをもつことができる。
【図面の簡単な説明】
【図１】本発明のヘアードライヤーの側断面図である。
【図２】本発明のヘアードライヤーの正断面図である。
【図３】本発明のヘアードライヤーの裏断面図である。
【図４】本発明のヘアードライヤーのａ−ａ’から見た上断面図である。
【図５】本発明のヘアードライヤーのｂ−ｂ’から見た上断面図である。
【図６】本発明のヘアードライヤーのｃ−ｃ’から見た上断面図である。
【図７】本発明のヘアードライヤーの下面図である。
【図８】本発明のヘアードライヤーの温風装置部拡大側面図である。
【図９】本発明のヘアードライヤーの水滴浸入防止傘、水滴落下防止皿の拡大斜面図である。
【図１０】本発明のヘアードライヤー、冷風ファンの側断面図である。
【図１１】本発明のヘアードライヤー、冷風ファンの正面図である。
【図１２】本発明のヘアードライヤーの風流を示す図である。
【図１３】本発明のヘアードライヤーの一使用例を示す図ある。
【符号の説明】
１　　ヘアードライヤー本体
３　　挿入口フタ
５　　挿入口フタ摘
７　　外箱
８　　外枠、
９　　頭部挿入空間
１０　　内壁
１１　　車輪
１３　　ネープカバー
１４　　ストッパー付回転ボルト
１５　　温風用吸気口
１６　　冷風用吸気口
１７　　温風用異物混入防止フィルタ
１８　　冷風用異物混入防止フィルタ
１００　　温風部
１００―１　　水滴浸入防止傘
１００−２　　水滴落下防止皿
１００−３　　保護網
１００−４　　電熱ヒーター
１００−５　　温風ファン
１００−６　　温風用電動モーター
１００−７　　拡散口
１００−８　　温風装置外箱
１００−９　　温風装置吸気口
２００　　冷風部
２００−１　　冷風ファン
２００−２　　送風拡散方向弁
２００−３　　送風口
２００−４　　冷風用電動モーター
２００−５　　冷風装置外箱
２００−６　　冷風装置吸気口
３００　　操作部
３００−１　　操作盤
３００−２　　タイマー調節器
３００−３　　温度調節調節器
３００−４　　温風強スイッチ
３００−５　　温風中スイッチ
３００−６　　温風弱スイッチ
３００−７　　冷風強スイッチ
３００−８　　冷風中スイッチ
３００−９　　冷風弱スイッチ
３００−１０　　電源スイッチ
４００　　頭髪部挿入口部
５００　　吸気口部
ａａ　　水滴落下防止皿と電熱ヒーターとの境目
Ａ　　温風と冷風が混合する大体の位置
【図１】
2004113267.tif 000003
【図２】
2004113267.tif 000004
【図３】
2004113267.tif 000005
【図４】
2004113267.tif 000006
【図５】
2004113267.tif 000007
【図６】
2004113267.tif 000008
【図７】
2004113267.tif 000009
【図８】
2004113267.tif 000010
【図９】
2004113267.tif 000011
【図１０】
2004113267.tif 000012
【図１１】
2004113267.tif 000013
【図１２】
2004113267.tif 000014
【図１３】
2004113267.tif 000015